(57)【要約】【課題】  テントを構成する柱体と梁体との間や柱体の外筒と内筒との間に用いられるテント用ロック装置であって、回動操作体の回動方向が容易に判断でき、ロック装置の損傷や作動不良を誘発する惧れがない様にする。【解決手段】  柱体２、ロックベース３、ロック孔４、ロックピン５、弾性体６、操作レバー７、抜止保持手段８とで構成し、とりわけ抜止保持手段８の回動規制機構３９は、回動操作体３８が水平状態の時にはロックピン５を抜止保持位置にすると共に、回動操作体３８が垂直状態の時にはロックピン５を抜止解除位置にする。【選択図】        図１
2010255369.tif 000002
【特許請求の範囲】
【請求項１】
柱体と、柱体に相対昇降可能に設けられたロックベースと、柱体に設けられたロック孔と、ロックベースに長手方向に移動可能に設けられてロック孔に突入するロック位置とロック孔から抜け出るアンロック位置とをとり得るロックピンと、ロックベースに設けられてロックピンを常時ロック位置に付勢する弾性体と、ロックベースに搖動可能に設けられてロックピンをアンロック位置に作動し得る操作レバーと、ロックピンをロック位置に抜止保持し得る抜止保持手段とから構成し、抜止保持手段は、ロックベースに長手方向に移動可能且つ長手方向軸廻りに回動可能に設けられたロックピンと、ロックピンに設けられてこれを外部から回動操作可能な回動操作体と、ロックピンとロックベースとの間に設けられてロックピンの回動を規制してロックピンを抜止保持位置と抜止解除位置とにし得る回動規制機構と、ロックピンとロックベースとの間に設けられてロックピンが抜止保持位置の時にはロックピンの長手方向の移動を阻止すると共にロックピンが抜止解除位置の時にはロックピンの長手方向の移動を許容する抜止機構とを備えているテント用ロック装置に於て、前記抜止保持手段の回動規制機構は、回動操作体が水平状態の時にはロックピンを抜止保持位置にすると共に、回動操作体が垂直状態の時にはロックピンを抜止解除位置にする様にした事を特徴とするテント用ロック装置。
【請求項２】
柱体は、外筒とこれに摺動可能に内嵌される内筒とを備え、ロックベースは、外筒に固定されていると共に、ロック孔は、内筒に設けられ、外筒には、ロックピンを貫通する通孔が設けられている請求項１に記載のテント用ロック装置。
【請求項３】
回動規制機構は、ロックピンに設けられた略小判型の鍔片と、ロックベースに設けられてロックピンが抜止保持位置と抜止解除位置の時には鍔片の端面が当合し得る当片とを備え、抜止機構は、回動規制機構の鍔片と、ロックベースに設けられてロックピンが抜止保持位置の時には鍔片に当合し得ると共にロックピンが抜止解除位置の時には鍔片との当合が回避される抜止片とを備えている請求項１に記載のテント用ロック装置。
【請求項４】
抜止保持手段は、回動操作体とロックベースとの間に設けられて回動操作体の回動を水平状態から垂直状態までの間に規制する操作体回動規制機構を備えている請求項１に記載のテント用ロック装置。
【請求項５】
抜止保持手段は、操作レバーとロックピンとの間に設けられて回動操作体が垂直状態を保つ様にロックピンの自由回動を規制する自由回動規制機構を備えている請求項１に記載のテント用ロック装置。
【請求項６】
外筒の下部には、内筒を摺動可能に案内する外筒側摺動体が設けられて居り、ロックベースは、外筒側摺動体に依り外筒の下部に着脱可能に取付けられる請求項２に記載のテント用ロック装置。
【請求項７】
操作体回動規制機構は、回動操作体と、ロックベースに設けられて回動操作体が水平状態と垂直状態の時には回動操作体の一部が当合し得る突起とを備えている請求項４に記載のテント用ロック装置。
【請求項８】
自由回動規制機構は、操作レバーの二股状を呈するフォーク片と、ロックピンの鍔片に形成されて回動操作体が垂直状態の時には操作レバーの両フォーク片間に挟まれて嵌合される係合部とを備えている請求項５に記載のテント用ロック装置。
【発明の詳細な説明】
【技術分野】
【０００１】
本発明は、主としてテントを構成する柱体と梁体との間や柱体の外筒と内筒との間に用いられるテント用ロック装置の改良に関する。
【背景技術】
【０００２】
従来、この種のロック装置としては、例えば特許文献１〜５に記載されたものが知られている。
当該ロック装置は、基本的には、柱体と、柱体に相対昇降可能に設けられたロックベースと、柱体に設けられたロック孔と、ロックベースに長手方向に移動可能に設けられてロック孔に突入するロック位置とロック孔から抜け出るアンロック位置とをとり得るロックピンと、ロックベースに設けられてロックピンを常時ロック位置に付勢する弾性体と、ロックベースに搖動可能に設けられてロックピンをアンロック位置に作動し得る操作レバーと、から構成されている。
【０００３】
而して、この様なものは、柱体とロックベースを相対昇降させてロック孔とロックピンが合致したならば、弾性体に依りロックピンがロック孔に突入されてロック位置になり、柱体とロックベースとの相対昇降が阻止される。
この様な状態から、弾性体に抗して操作レバーを搖動させると、ロックピンがロック孔から抜け出てアンロック位置にされ、柱体とロックベースとの相対昇降が許容される。
ところが、従来のものは、操作レバーが誤操作されると、柱体とロックベースとの相対昇降が許容されてしまうので、不測の事故を招く惧れがあり、安全性に問題があった。
【０００４】
そこで、この様な問題を解決する為に本出願人は、先に特願２００７−２９３２３９号を提案している。
これは、ロックピンをロック位置に抜止保持し得る抜止保持手段を追加したものである。
具体的には、抜止保持手段の回動操作体が水平状態にされると、抜止保持手段が抜止解除（抜止不能）位置になり、操作レバーが操作されると、ロックピンがアンロック位置にされる。
逆に、抜止保持手段の回動操作体が垂直状態にされると、抜止保持手段が抜止保持（抜止可能）位置になり、ロックピンがロック位置に保持される。
【先行技術文献】
【特許文献】
【０００５】
【特許文献１】実用新案登録第２５０４７６６号公報
【特許文献２】特開平８−９９３８号公報
【特許文献３】特開平１０−８８９４９号公報
【特許文献４】実用新案登録第３１２３５０７号公報
【特許文献５】実用新案登録第３１３３２６３号公報
【発明の概要】
【発明が解決しようとする課題】
【０００６】
而して、この様なものは、抜止保持手段を抜止解除位置から抜止保持位置まで作動させる場合、回動操作体を水平状態から垂直状態まで前後方向軸（ロックピンの長手方向軸）廻りに回動させればこれを行う事ができる。
ところが、この時、回動操作体が水平状態になっていると共に、操作レバーが横軸（左右方向軸、ロックピンの長手直角方向軸）廻りに回動（搖動）させるものであるという連想から、回動操作体も横軸（左右方向軸、ロックピンの長手直角方向軸）廻りに回動（搖動）させるものだと思ってしまい、加えて、回動操作体を足で踏んで操作する作業者もいる事から、構成部品が損傷したり作動不良に陥ってしまう事があった。
ロックベースの蓋体には、「ＯＮ」及び「ＯＦＦ」の文字と「両矢印」の図形が表記されているが、上からでは見難い事もあって、この様な事が起生していた。
【０００７】
本発明は、叙上の問題点に鑑み、これを解消する為に創案されたもので、その課題とする処は、回動操作体の回動方向が容易に判断でき、構成部品の損傷や作動不良を誘発する惧れがない様にしたテント用ロック装置を提供するにある。
【課題を解決するための手段】
【０００８】
本発明のテント用ロック装置は、基本的には、柱体と、柱体に相対昇降可能に設けられたロックベースと、柱体に設けられたロック孔と、ロックベースに長手方向に移動可能に設けられてロック孔に突入するロック位置とロック孔から抜け出るアンロック位置とをとり得るロックピンと、ロックベースに設けられてロックピンを常時ロック位置に付勢する弾性体と、ロックベースに搖動可能に設けられてロックピンをアンロック位置に作動し得る操作レバーと、ロックピンをロック位置に抜止保持し得る抜止保持手段とから構成し、抜止保持手段は、ロックベースに長手方向に移動可能且つ長手方向軸廻りに回動可能に設けられたロックピンと、ロックピンに設けられてこれを外部から回動操作可能な回動操作体と、ロックピンとロックベースとの間に設けられてロックピンの回動を規制してロックピンを抜止保持位置と抜止解除位置とにし得る回動規制機構と、ロックピンとロックベースとの間に設けられてロックピンが抜止保持位置の時にはロックピンの長手方向の移動を阻止すると共にロックピンが抜止解除位置の時にはロックピンの長手方向の移動を許容する抜止機構とを備えているテント用ロック装置に於て、前記抜止保持手段の回動規制機構は、回動操作体が水平状態の時にはロックピンを抜止保持位置にすると共に、回動操作体が垂直状態の時にはロックピンを抜止解除位置にする様にした事に特徴が存する。
【０００９】
柱体とロックベースが相対昇降されてロック孔とロックピンが合致したならば、弾性体に依りロックピンがロック孔に突入されてロック位置になり、柱体とロックベースとの相対昇降が阻止される。
この様な状態から、弾性体に抗して操作レバーが搖動されると、ロックピンがロック孔から抜け出てアンロック位置にされ、柱体とロックベースとの相対昇降が許容される。
抜止保持手段の回動操作体が垂直状態にされると、ロックピンが回動規制機構に依り抜止解除位置にされると共に、抜止機構に依り長手方向の移動が許容される。従って、操作レバーを操作すれば、ロックピンがアンロック位置にされて柱体とロックベースとの相対昇降が許容される。
抜止保持手段の回動操作体が水平状態にされると、ロックピンが回動規制機構に依り抜止保持位置にされると共に、抜止機構に依り長手方向の移動が阻止される。従って、ロックピンは、ロック位置に保持される。この為、操作レバーを誤操作してロックピンをアンロック位置にしようとしても、ロックピンが抜止保持手段に依りロック位置に抜止保持されているので、柱体とロックベースとの相対昇降が阻止される。
抜止保持手段の回動規制機構は、回動操作体が水平状態の時にはロックピンを抜止保持位置にすると共に、回動操作体が垂直状態の時にはロックピンを抜止解除位置にする様にしてあるので、回動操作体を垂直状態から操作する場合、一見しただけで操作レバーとは操作方向が異なる事が判ると共に、前後方向軸（ロックピンの長手方向軸）廻りに回動させて水平状態にすれば良い事が判る。従って、回動操作体を操作レバーと同じ横軸（左右方向軸、ロックピンの長手直角軸）廻りに回動させる惧れがなくなり、構成部品の損傷や作動不良を誘発する事がなくなる。
【００１０】
柱体は、外筒とこれに摺動可能に内嵌される内筒とを備え、ロックベースは、外筒に固定されていると共に、ロック孔は、内筒に設けられ、外筒には、ロックピンを貫通する通孔が設けられているのが好ましい。この様にすれば、テントの柱体の外筒と内筒との間にロック装置を設ける事ができる。
【００１１】
回動規制機構は、ロックピンに設けられた略小判型の鍔片と、ロックベースに設けられてロックピンが抜止保持位置と抜止解除位置の時には鍔片の端面が当合し得る当片とを備え、抜止機構は、回動規制機構の鍔片と、ロックベースに設けられてロックピンが抜止保持位置の時には鍔片に当合し得ると共にロックピンが抜止解除位置の時には鍔片との当合が回避される抜止片とを備えているのが好ましい。この様にすれば、鍔片を共用できるので、それだけ構造が簡単化されてコストの低減と省スペース化を図る事ができる。
【００１２】
抜止保持手段は、回動操作体とロックベースとの間に設けられて回動操作体の回動を水平状態から垂直状態までの間に規制する操作体回動規制機構を備えているのが好ましい。この様にすれば、操作体回動規制機構の存在に依りこれを一見しただけで回動操作体の操作方向が判る。加えて、もし、回動操作体を水平状態にして足に依り踏んでこれを操作しようとしても、この操作体回動規制機構がある事に依り回動操作体の下動が物理的にも阻止され、これらの損傷等を防止する事ができる。
【００１３】
抜止保持手段は、操作レバーとロックピンとの間に設けられて回動操作体が垂直状態を保つ様にロックピンの自由回動を規制する自由回動規制機構を備えているのが好ましい。この様にすれば、回動操作体を垂直状態にして抜止保持手段に依りロックピンを抜止解除位置にしたならば、この状態が維持され、不用意に回動操作体が水平状態の方向に回動してロックピンがロック位置される惧れがなくなる。その結果、操作レバーを操作すれば、適正にロックピンをアンロック位置にする事ができる。
【００１４】
外筒の下部には、内筒を摺動可能に案内する外筒側摺動体が設けられていると共に、内筒の上部には、外筒を摺動可能に案内する内筒側摺動体が設けられて居り、ロックベースは、外筒側摺動体に依り外筒の下部に着脱可能に取付けられるのが好ましい。この様にすれば、外筒と内筒の相対移動が円滑に行なえて外筒と内筒との間のガタつきを防止する事ができると共に、ロックベースと外筒との取付けに際して外筒側摺動体を利用できるので、極めて合理的である。
【００１５】
操作体回動規制機構は、回動操作体と、ロックベースに設けられて回動操作体が水平状態と垂直状態の時には回動操作体の一部が当合し得る突起とを備えているのが好ましい。この様にすれば、ロックベースに突起を設けるだけで済むので、それだけ構造が簡単化されてコストの低減を図る事ができる。
【００１６】
自由回動規制機構は、操作レバーの二股状を呈するフォーク片と、ロックピンの鍔片に形成されて回動操作体が垂直状態の時には操作レバーの両フォーク片間に挟まれて嵌合される係合部とを備えているのが好ましい。この様にすれば、ロックピンの鍔片に係合部を形成するだけで済むので、それだけ構造が簡単化されてコストの低減を図る事ができる。
【発明の効果】
【００１７】
本発明に依れば、次の様な優れた効果を奏する事ができる。
（１）  柱体、ロックベース、ロック孔、ロックピン、弾性体、操作レバー、抜止保持手段とで構成し、とりわけ抜止保持手段の回動規制機構は、回動操作体が水平状態の時にはロックピンを抜止保持位置にすると共に、回動操作体が垂直状態の時にはロックピンを抜止解除位置にする様にしたので、ロックピンをアンロック位置にできる抜止解除位置の時には、回動操作体が垂直状態を為し、一見しただけで、操作レバーとは操作方向（回動方向）が異なる事が判断できる。その結果、垂直状態の回動操作体を足で踏んで左右方向軸廻りに回動させる事がなくなり、構成部品の損傷や作動不良を防止できる。
（２）  回動操作体とロックベースとの間に回動操作体の回動を規制する操作体回動規制機構を設けた場合は、この操作体回動規制機構の存在に依りこれを一見しただけで回動操作体の操作方向が判る。加えて、もし、回動操作体を水平状態にして足に依り踏んでこれを操作しても、この操作体回動規制機構がある事に依り回動操作体の下動が物理的にも阻止され、これらの損傷等を防止する事ができる。
（３）  操作レバーとロックピンとの間にロックピンの自由回動を規制する自由回動規制機構を設けた場合は、回動操作体を垂直状態にして抜止保持手段に依りロックピンを抜止解除位置にしたならば、この状態が維持され、不用意に回動操作体が水平方向に回動してロックピンがロック位置にされる惧れがなくなる。その結果、操作レバーを操作すれば、適正にロックピンをアンロック位置にする事ができる。
【図面の簡単な説明】
【００１８】
【図１】本発明のテント用ロック装置を示す分解斜視図。
【図２】抜止解除・ロック状態を示す縦断側面図。
【図３】図２の縦断背面図。
【図４】柱体の外筒とロックベースと外筒側摺動体との取付状態を示す縦断正面図。
【図５】柱体の外筒と内筒と嵌合状態を示す横断平面図。
【図６】アンロック状態を示す図２と同様図。
【図７】抜止保持・ロック状態を示す図２と同様図。
【図８】図７の縦断背面図。
【図９】ロックピンを示す斜視図。
【発明を実施するための形態】
【００１９】
以下、本発明の実施の形態を、図面に基づいて説明する。
図１は、本発明のテント用ロック装置を示す分解斜視図。図２は、抜止解除・ロック状態を示す縦断側面図。図３は、図２の縦断背面図。図４は、柱体の外筒とロックベースと外筒側摺動体との取付状態を示す縦断正面図。図５は、柱体の外筒と内筒との嵌合状態を示す横断平面図。図６は、アンロック状態を示す図２と同様図。図７は、抜止保持・ロック状態を示す図２と同様図。図８は、図７の縦断背面図。図９は、ロックピンを示す斜視図である。尚、図１に於て、上側が上側、下側が下側、右上側が前側、左下側が後側、右下側が右側、左上側が左側と規定する。
【００２０】
テント用ロック装置１は、柱体２、ロックベース３、ロック孔４、ロックピン５、弾性体６、操作レバー７、抜止保持手段８とからその主要部が構成されている。
【００２１】
柱体２は、テント用ロック装置１の基本部分を為すもので、この例では、上下方向に長尺なアルミニウム等の金属製にしてあり、外筒９とこれに摺動可能に内嵌された内筒１０とを備えている。
外筒９は、断面略正方形の角筒状を呈して居り、下部の左右両側には、掛合孔１１が穿設されていると共に、後側には、ロック孔４に連通する通孔１２が穿設されている。
内筒１０は、外筒９より小径で同じく断面略正方形の角筒状を呈し、内側四隅には、断面略正方形の補強リブ１３を備えている。
【００２２】
外筒９の下部には、これに取付けられて内筒１０を摺動可能に案内する為の外筒側摺動体１４が設けられていると共に、内筒１０の上部には、これに取付けられて外筒９を摺動可能に案内する為の内筒側摺動体１５が設けられている。
外筒側摺動体１４は、合成樹脂製にしてあり、外筒９の下端に当合される四枠状の枠片１６と、これの各辺に立設されて外筒９の下部内側に位置して内筒１０の外面に摺接される四つの摺動片１７と、左右の摺動片１７に外向きに突設されて外筒９の掛合孔１１に掛合される突起１８と、後側の摺動片１７に穿設されて外筒９の通孔１２に連通する通孔１９とを備えている。
内筒側摺動体１５は、同じく合成樹脂製にしてあり、内筒１０の上端に当合される蓋片２０と、これの下側に連設されて内筒１０の上部内側に嵌入される嵌入片２１と、外筒摺動体１４の摺動片１７に干渉しない様に蓋片２０の四隅に突設されて外筒９の内面に摺接される合計八つの摺動片２２とを備えている。
【００２３】
ロックベース３は、柱体２に相対昇降可能に設けられたもので、この例では、外筒９に固定されて合成樹脂製にしてあり、外筒９に外嵌される角筒状の筒体２３と、これの後側に突設されて略半円状の収容腔が形成されて後方が開放された箱体２４と、これの後方を閉塞する蓋体２５とを備えている。
筒体２３の左右両側には、外筒９の掛合孔１１に連通して外筒側摺動体１４の突起１８が掛合される掛合孔２６が形成されている。
筒体２３と蓋体２５には、ロックピン５を貫通して案内する為の案内孔２７が形成されている。
箱体２４の上部には、収容腔に連通されて操作レバー７が挿入される左右の挿入孔２８が形成されている。
蓋体２５は、ビス等の止具２９に依り箱体２４に着脱可能に取付けられて居り、案内孔２７の前側には、これより大径で弾性体６の一側を支持する為の受孔３０が形成されていると共に、後面には、抜止保持状態を示す「ＯＮ」の文字と抜止解除状態を示す「ＯＦＦ」の文字と回動方向を示す「両矢印」の図形が表記されている。
【００２４】
ロック孔４は、柱体２に設けられたもので、この例では、内筒１０に設けられて居り、適数のものが内筒１０の後側の長手方向（上下方向）に所定間隔を置いて穿設されている。図面では、一つだけを示している。
【００２５】
ロックピン５は、ロックベース３に長手方向に移動可能に設けられてロック孔４に突入するロック位置とロック孔４から抜け出るアンロック位置とをとり得るもので、この例では、アルミニウム等の金属製で略円柱状を呈して居り、ロックベース３の案内孔２７に前後方向に移動可能且つ前後方向軸廻りに回動可能に設けられている。
ロックピン５の前側には、窪所が形成されてここには合成樹脂製で円柱状の摺接片３１が前側を除いて嵌合されている。ロックピン５の中程には、小判型の鍔片３２が形成されている。ロックピン５の後部には、両側が切除されて取付片３３が形成されている。
【００２６】
弾性体６は、ロックベース３に設けられてロックピン５を常時ロック位置に付勢するもので、この例では、スプリング鋼等の金属製で圧縮型のコイルスプリングにしてあり、ロックピン５に後側から挿通されると共に、ロックピン５の鍔片３２とロックベース３の蓋体２５の受孔３０との間に介設されて居り、ロックピン５を常に前側（ロック孔４側）に付勢している。
【００２７】
操作レバー７は、ロックベース３に搖動可能に設けられてロックピン５をアンロック位置に作動し得るもので、この例では、アルミニウム等の金属製で二股状を呈するフォーク片３４と、これの中程に折曲して形成されたボス片３５と、フォーク片３４の上部に一体的に付設されて合成樹脂製で略半円板状を呈する操作片３６とを備えている。
操作レバー７のフォーク片３４とボス片３５は、ロックベース３の挿入孔２８に挿入される。そして、フォーク片３４の先部は、ロックピン５に跨った状態で鍔片３２の前側に位置されると共に、ボス片３５は、左右方向の支軸（ボルト）３７に依りロックベース３に対して前後方向に搖動（横軸廻りに回動）可能に取付けられる。
【００２８】
抜止保持手段８は、ロックピン５をロック位置に抜止保持し得るもので、この例では、ロックベース３とロックピン５との間に設けられて居り、ロックベース３に長手方向（前後方向）に移動可能且つ長手方向軸廻りに回動可能に設けられたロックピン５と、ロックピン５に設けられてこれを外部から回動操作可能な回動操作体３８と、ロックベース３とロックピン５との間に設けられてロックピン５の回動を規制してロックピン５を抜止保持位置と抜止解除位置とにし得る回動規制機構３９と、ロックベース３とロックピン５との間に設けられてロックピン５が抜止保持位置の時にはロックピン５の長手方向の移動を阻止すると共にロックピン５が抜止解除位置の時にはロックピン５の長手方向の移動を許容する抜止機構４０とを備えている。
【００２９】
回動操作体３８は、合成樹脂製で略半円板状を呈して居り、前側には受穴が窪設されてここにはロックピン５の取付片３３が挿入され、ビス等の取付具４１に依り着脱可能に取付けられる。
回動規制機構３９は、ロックピン５の鍔片３２と、ロックベース３の箱体２４内に設けられてロックピン５が抜止保持位置と抜止解除位置の時には鍔片３２の端面が当合し得る当片４２とを備えている。
当片４２は、略角柱状を呈し、ロックベース３の箱体２４内の前側左下隅部に形成されている。
抜止機構４０は、ロックピン５の鍔片３２と、ロックベース３に設けられてロックピン５が抜止保持位置の時には鍔片３２に当合し得ると共にロックピン５が抜止解除位置の時には鍔片３２との当合が回避される抜止片４３とを備えている。
抜止片４３は、板状を呈し、ロックベース３の蓋体２５の前側下部から前方に突設されている。
回動操作体３８は、図２に示す如く、垂直状態の時には、ロックピン５の鍔片３２が水平状態になって回動規制機構３９に依りロックピン５が抜止解除位置になり、この状態から、図３に於て時計方向に９０度だけ回動して図７に示す如く、水平状態した時には、ロックピン５の鍔片３２が垂直状態になって回動規制機構３９に依りロックピン５が抜止保持位置になる様にしてある。
【００３０】
抜止保持手段８は、回動操作体３８とロックベース３との間に設けられて回動操作体３８の回動を水平状態から垂直状態までの間に規制する操作体回動規制機構４４と、操作レバー７とロックピン５との間に設けられて回動操作体３８が垂直状態を保つ様にロックピン５の自由回動を規制する自由回動規制機構４５を備えている。
【００３１】
操作体回動規制機構４４は、回動操作体３８と、ロックベース３に設けられて回動操作体３８が水平状態と垂直状態の時には回動操作体３８の一部が当合し得る突起４６とを備えている。突起４６は、略角柱状を呈し、ロックベース３の蓋体２５に後向きに突設されている。
【００３２】
自由回動規制機構４５は、操作レバー７の二股状を呈するフォーク片３４と、ロックピン５の鍔片３２に形成されて回動操作体３８が垂直状態の時には操作レバー７の両フォーク片３４間に挟まれて嵌合される係合部４７とを備えている。係合部４７は、方形板状を呈し、鍔片３２の前側に形成されて居り、その角部が弧状に切除されてロックピン５の回動時にフォーク片３４に引っ掛からない様にしてある。
【００３３】
而して、ロックベース３の箱体２４の底壁には、内部に侵入した雨水等を外部へ排出し得る複数（二つ）の排出口４８が形成されている。
【００３４】
次に、この様な構成に基づいてその作用を述解する。
テント用ロック装置１は、次の様にして組立てられる。
操作レバー７のフォーク片３４とボス片３５がロックベース３の挿入孔２８に挿入されると共に、ボス片３５が支軸３７に依りロックベース３に搖動可能に取付けられる。ロックピン５の後半に弾性体６が挿通されると共に、ロックピン５の後側がロックベース３の蓋体２５の案内孔２７に挿通された後、取付具４１に依りロックピン５の取付片３３に回動操作体３８が取付けられる。そして、ロックピン５がロックベース３の箱体２４内に挿入されてロックベース３の筒体２３の案内孔２７に挿通されると共に、止具２９に依りロックベース３の蓋体２５が箱体２４に固定される。そうすると、操作レバー７のフォーク片３４は、ロックピン５の前側に跨った状態で鍔片３２の前側に当合される。
【００３５】
この様にして組立てられたテント用ロック装置１は、次の様にして柱体２の外筒９に取付られる。
操作レバー７が前側に搖動操作されてロックピン５がアンロック位置にされた状態で、柱体２の外筒９の下部にロックベース３の筒体２３が外嵌されると共に、外筒９の掛合孔１１とロックベース３の掛合孔２６、外筒９の通孔１２とロックベース３の案内孔２７とが夫々合致される。そして、外筒側摺動体１４の突起１８を備えた摺動片１７が窄められて外筒９の下部に挿入されると、外筒側摺動体１４の突起１８が摺動片１７の弾性復元力に依り外筒９の掛合孔１１とロックベース３の掛合孔２６に掛合されると共に、外筒９の通孔１２と外筒側摺動体１４の通孔１９が合致されてロックピン５がこれらの通孔１２，１９を経て外筒側摺動体１４の内側に突出可能にされる。
内筒摺動体１５は、嵌入片２１を内筒１０の上部に嵌入する事に依り取付けられる。
そして、柱体２の外筒９の下方から内筒１０の上部が外筒９の内部へ摺動可能に挿入される。
【００３６】
柱体２の内筒１０とロックベース３を相対昇降させてロック孔４とロックピン５が合致したならば、弾性体６に依りロックピン５がロック孔４に突入されてロック位置になり、柱体２の内筒１０とロックベース３との相対昇降が阻止される（図２，３参照）。
ロック孔４とロックピン５が合致しない場合は、ロックピン５の摺接片３１が柱体２の内筒１０の外面に摺接されるので、内筒１０が損傷される事がない。
【００３７】
この様な状態から、弾性体６に抗して操作レバー７が前側に搖動、つまり図２に於て支軸３７を中心として時計方向に回動されると、ロックピン５がロック孔４から抜け出てアンロック位置にされ、柱体２の内筒１０とロックベース３との相対昇降が許容される（図６参照）。
【００３８】
図２及び図３に示す如く、抜止保持手段８の回動操作体３８が垂直状態されると、ロックピン５の鍔片３２が水平状態になって回動規制機構３９の鍔片３２と当片４２に依りロックピン５が抜止解除位置にされると共に、抜止機構４０の鍔片３２と抜止片４３に依り長手方向の移動が許容される。この時、操作体回動規制機構４４の回動操作体３８の下右面と突起４６とが当合して回動操作体３８の回動（図３に於て反時計方向の回動）が阻止されると共に、自由回動規制機構４５のフォーク片３４と係合部４７とが嵌合されてロックピン５の自由回動（図３に於て時計方向の回動）が規制される。従って、操作レバー７が操作されると、ロックピン５がアンロック位置にされる。
【００３９】
図７及び図８に示す如く、抜止保持手段８の回動操作体３８が垂直状態から９０度だけ回動されて水平状態にされると、ロックピン５の鍔片３２が垂直状態になって回動規制機構３９の鍔片３２と当片４２に依りロックピン５が抜止保持位置にされると共に、抜止機構４０の鍔片３２と抜止片４３に依り長手方向の移動が阻止される。この時、操作体回動規制機構４４の回動操作体３８の右下面と突起４６とが当合して回動操作体３８の回動（図８に於て時計方向の回動）が阻止されると共に、自由回動規制機構４５のフォーク片３４と係合部４７との嵌合が解除される。従って、操作レバー７が操作されても、ロックピン５がロック位置に保持される。
【００４０】
抜止保持手段８が設けられているので、操作レバー７が誤操作されてロックピン５がアンロック位置にされようとしても、抜止保持手段８に依りロックピン５がロック位置に抜止保持されるので、柱体２の内筒１０とロックベース３との相対昇降が阻止される。
【００４１】
抜止保持手段８の回動規制機構３９は、回動操作体３８が水平状態の時にはロックピン５を抜止保持位置にすると共に、回動操作体３８が垂直状態の時にはロックピン５を抜止解除位置にする様にしてあるので、回動操作体３８を垂直状態から操作する場合、一見しただけで操作レバー７とは操作方向が異なる事が判ると共に、前後方向軸（ロックピン５の長手方向軸）廻りに回動させて水平状態にすれば良い事が判る。従って、回動操作体３８を操作レバー７と同じ横軸（左右方向軸、ロックピン５の長手直角軸）廻りに回動させる惧れがなくなり、構成部品の損傷や作動不良を誘発する事がなくなる。
【００４２】
抜止保持手段８は、回動操作体３８とロックベース３との間に設けられて回動操作体３８の回動を水平状態から垂直状態までの間に規制する操作体回動規制機構４４を備えているので、この操作体回動規制機構４４の突起４６の存在に依りこれを一見しただけで回動操作体３８の操作方向が判る。加えて、もし、回動操作体３８を水平状態にして足に依り踏んでこれを操作しようとしても、この操作体回動規制機構４４の突起４６がある事に依り回動操作体３８の下動が物理的にも阻止され、これらの損傷等を防止する事ができる。
【００４３】
抜止保持手段８は、操作レバー７とロックピン５との間に設けられて回動操作体３８が垂直状態を保つ様にロックピン５の自由回動を規制する自由回動規制機構４５を備えているので、回動操作体３８を垂直状態にして抜止保持手段８に依りロックピン５を抜止解除位置にしたならば、この状態が維持され、不用意に回動操作体３８が水平状態の方向に回動してロックピン５がロック位置にされる惧れがなくなる。その結果、操作レバー７を操作すれば、適正にロックピン５をアンロック位置にする事ができる。
【００４４】
回動操作体３８を水平状態から垂直状態にした場合、自由回動規制機構４５のフォーク片３４と係合部４７とが嵌合される際に、手答えがあると共に、音が鳴るので、外部から見えなくても、自由回動規制機構４５に依りロックピン５の自由回動が規制されている事が容易に判る。
【００４５】
ロックピン５を利用して抜止保持手段８を構成しているので、極めて合理的である。つまり、それだけ構造が簡略化されてコストの低減と省スペースを図る事ができる。
ロックピン５の鍔片３２は、操作レバー７の操作力をロックピン５に伝達する役目と、弾性体６の一方を受ける役目と、抜止保持手段８の回動規制機構３９と抜止機構４０と自由回動規制機構４５の夫々一部を構成する役目を果たしているので、極めて合理的である。
外筒側摺動体１４を利用してロックベース３を柱体２の外筒９に着脱可能に取付ける様にしているので、極めて合理的である。
ロックベース３の箱体２４の底壁には、排出口４８を備えているので、内部に侵入した雨水等を速やかに排出する事ができる。その結果、内部機構の錆付き等が防止されて作動不良を防ぐ事ができる。
【００４６】
尚、先の例では、ロックベース３は、外筒９に固定されていると共に、ロック孔４は、内筒１０に設けられ、外筒９には、ロックピン５を貫通する通孔１２が設けられていたが、これに限らず、例えばロックベース３は、外筒９に対して昇降可能に設けられていると共に、ロック孔４は、外筒９に設けられていても良い。この様にすれば、ロックベース３にテントの梁部材（図示せず）を取付けて柱体２と梁部材との間にロック装置１を設ける事ができる。
弾性体６は、先の例では、コイルスプリングであったが、これに限らず、例えば板バネやゴム等でも良い。
操作体回動規制機構４４は、先の例では、ロックベース３の蓋体２５に突起４６を突設したが、これに限らず、例えばロックベース３の箱体２４に回動操作体３８の付け根部分（最大直径部分）を回動可能に覆う円筒を突設すると共に、この円筒内に突起４６を形成しても良い。
【符号の説明】
【００４７】
１…テント用ロック装置、２…柱体、３…ロックベース、４…ロック孔、５…ロックピン、６…弾性体、７…操作レバー、８…抜止保持手段、９…外筒、１０…内筒、１１…掛合孔、１２…通孔、１３…補強リブ、１４…外筒側摺動体、１５…内筒側摺動体、１６…枠片、１７…摺動片、１８…突起、１９…通孔、２０…蓋片、２１…嵌入片、２２…摺動片、２３…筒体、２４…箱体、２５…蓋体、２６…掛合孔、２７…案内孔、２８…挿入孔、２９…止具、３０…受孔、３１…摺接片、３２…鍔片、３３…取付片、３４…フォーク片、３５…ボス片、３６…操作片、３７…支軸、３８…回動操作体、３９…回動規制機構、４０…抜止機構、４１…取付具、４２…当片、４３…抜止片、４４…操作体回動規制機構、４５…自由回動規制機構、４６…突起、４７…係合部、４８…排出口。
【図１】
2010255369.tif 000003
【図２】
2010255369.tif 000004
【図３】
2010255369.tif 000005
【図４】
2010255369.tif 000006
【図５】
2010255369.tif 000007
【図６】
2010255369.tif 000008
【図７】
2010255369.tif 000009
【図８】
2010255369.tif 000010
【図９】
2010255369.tif 000011